(57)【要約】　　　（修正有）【課題】主ソフトスタート信号を基に個々の出力毎のタイミングで起動し、動作遅れがないソフトスタート信号を形成する半導体集積回路を提供する。【解決手段】起動時の突入電流を防ぎ複数の出力ＯＵＴ１〜ＯＵＴｎに対応するタイミング　ｔｓ１〜ｔｓｎ　で起動し、共通の起動指令ＴＳ０　で起動する主ソフトスタート信号形成手段１と、各出力毎のタイミングで個別起動指令　ＴＳ１〜ＴＳｎ　を出力する個別起動タイミング信号形成手段ＴＳと、個別起動指令　ＴＳ１〜ＴＳｎ　の入力前は個別ソフトスタート直前の状態で待機し、入力後はこの待機状態から主ソフトスタート信号ＶａのＫ　倍の信号変化率で変化する個別ソフトスタート信号３ａ〜３ｎを形成するソフトスタート信号形成手段２と、三角波Ｖｅとソフトスタート信号３ａ〜３ｎとを比較して各出力の出力導通角を制御するソフトスタート出力部３と、を備える。【選択図】図１
2004048962.tif 000002
【特許請求の範囲】
【請求項１】
起動時の突入電流を防ぐソフトスタート手段を有し、複数の出力チャネルに対応して予め定められたタイミングで各出力チャネルを起動する電源用の半導体集積回路において、
起動指令で起動し、各チャネル共通のソフトスタート設定端子に接続される容量を充電して主ソフトスタート信号を形成する主ソフトスタート信号形成手段と、
各出力チャネル毎に予め定められたタイミングで個別起動指令を出力する個別起動タイミング信号形成手段と、
前記主ソフトスタート信号を受信し、前記個別起動タイミング信号形成手段からの個別起動指令が入力されるまでの間，　個別ソフトスタートを開始する直前の状態で待機し、個別起動指令が入力された後は，　前記個別ソフトスタート直前の待機状態から前記主ソフトスタート信号の信号変化率に予め定められた倍率の信号変化率で変化する個別ソフトスタート信号を形成する個別ソフトスタート信号形成手段と、
三角波発生回路と、この三角波発生回路の三角波と，　前記個別ソフトスタート信号形成手段からの個別ソフトスタート信号と，　を比較し、各出力チャネルの出力導通角を制御するコンパレータと、からなるソフトスタート出力部と、を備える、
ことを特徴とする半導体集積回路。
【請求項２】
請求項１に記載の半導体集積回路において、
主ソフトスタート信号形成手段は、電流源と、この電流源からの電流を共通のソフトスタート設定端子を経由して充電する第１容量と、この第１容量に充電される電荷を放電し前記共通の起動指令でスイッチオフして前記主ソフトスタート信号を形成する第１スイッチ素子と、を備える、
ことを特徴とする半導体集積回路。
【請求項３】
請求項１に記載の半導体集積回路において、
個別ソフトスタート信号形成手段は、前記主ソフトスタート信号に接続される第２容量と、この第２容量の出力側を前記個別起動タイミング信号形成手段からの個別起動指令が入力されるまでの間，　グランドレベルに短絡する個別起動用第２スイッチ素子と、この第２スイッチ素子がオフのとき、この第２スイッチ素子の両端に発生する信号を予め定められた倍率で増幅する増幅器と、この増幅器出力に接続され他方端を出力とする第３容量と、前記三角波発生回路の下限出力値あるいはこの下限出力値をやや下回る電圧信号（以下、待機状態信号と略称する）と、この待機状態信号と前記第３容量の出力側との間を前記個別起動タイミング信号形成手段の個別起動指令が入力されるまでの間短絡動作し、この個別起動指令が入力された後は，　スイッチオフする第３スイッチ素子と、を備える、
ことを特徴とする半導体集積回路。
【請求項４】
請求項１に記載の半導体集積回路において、
個別ソフトスタート信号形成手段は、前記主ソフトスタート信号に接続される第２容量と、この第２容量の出力側を前記個別起動タイミング信号形成手段からの個別起動指令が入力されるまでの間，　前記三角波発生回路の下限出力値あるいはこの下限出力値をやや下回る電圧信号（以下、待機状態信号と略称する）に短絡する個別起動用第２スイッチ素子と、この第２スイッチ素子がオフのとき、この第２スイッチ素子の両端に発生する信号を増幅し，抵抗２７，２８　で負帰還増幅回路を構成し，　入力信号がゼロのとき出力が前記待機状態信号に動作点を有し予め定められた倍率で増幅する増幅器と、前記待機状態信号と、を備える、
ことを特徴とする半導体集積回路。
【請求項５】
請求項１に記載の半導体集積回路において、
個別ソフトスタート信号形成手段は、前記主ソフトスタート信号に接続され，前記個別起動タイミング信号形成手段からの個別起動指令が入力されるまでの間，前記主ソフトスタート信号を追従（トラッキング）し、個別起動指令が入力された後は，個別起動指令が入力された直前の主ソフトスタート信号を保持（ホールド）するサンプルアンドホールド回路と、このサンプルアンドホールド回路出力と，前記主ソフトスタート信号とを増幅し、このゼロ入力時の出力を前記三角波発生回路の下限出力値あるいはこの下限出力値をやや下回る電圧信号（以下、待機状態信号と略称する）にその動作点を有するレベルシフトアンプと、前記待機状態信号と、を備える、
ことを特徴とする半導体集積回路。
【請求項６】
請求項２に記載の半導体集積回路において、
主ソフトスタート信号形成手段の主ソフトスタート信号は、インピーダンスバッファ回路を備える、ことを特徴とする半導体集積回路。
【請求項７】
請求項４または請求項５に記載の半導体集積回路において、
三角波発生回路の待機状態信号は、インピーダンスバッファ回路を備える、
ことを特徴とする半導体集積回路。
【発明の詳細な説明】
【０００１】
【発明の属する技術分野】
本発明は電源用の半導体集積回路に用いるソフトスタート回路にに関わり、特に、複数の電源回路の出力を予め定められた任意のタイミングで自動的に起動させることができる半導体集積回路に関する。
【０００２】
【従来の技術】
ソフトスタート回路は、スイッチング電源回路において、電源起動時に電源回路に発生する突入電流を防止するために、スイッチング動作のパルス幅を徐々に広げていく回路である。一般的には、コンデンサを充電する充電電圧と三角波信号とを比較してスイッチング動作のパルス幅を徐々に広げることができる。
【０００３】
図５において、従来技術によるソフトスタート回路は、電流源１１と、この電流源１１からの電流Ｉ１をソフトスタート設定端子１４を経由して充電する容量４２と、この容量４２に充電される電荷を放電し、起動指令ＴＳ０　でスイッチオフしてソフトスタート信号Ｖａを形成する第１スイッチ素子１３とからなるソフトスタート信号形成手段４と、出力導通角を制御する三角波発生回路６と、この三角波発生回路６の三角波信号Ｖｅと前記ソフトスタート信号Ｖａとを比較し、徐々にスイッチングパルス幅を広げ出力導通角を制御するコンパレータ３２と、からなるソフトスタート出力部３と、を備えて構成される。
【０００４】
かかる構成により、図６において、横軸に時間軸をとり、図６の（Ａ）　の縦軸にソフトスタート信号Ｖａおよび三角波信号Ｖｅを併記し、図６の（Ｂ）　に出力導通角ＯＵＴ　を図示する。タイミングｔｓ０　で第１スイッチ素子１３をオフすると、ソフトスタート信号Ｖａは、この時点からソフトスタート設定端子１４に接続される容量４２を電流Ｉ１で充電して徐々に増加するランプ関数状の信号Ｖａを形成する。なお、ソフトスタート信号Ｖａは、電流Ｉ１の代わりに抵抗による充電する回路も一般的である。一方、三角波発生回路６の三角波信号Ｖｅは、図示される様に、上限値ＶＨ，　下限値ＶＬの間を三角波信号Ｖｅが出力される。そしてコンパレータ３２でソフトスタート信号Ｖａと三角波信号Ｖｅとを比較してソフトスタート信号Ｖａが大きい時間幅部分だけ出力導通角ＯＵＴ　として出力する。ここでは、図示省略されているが、この出力導通角ＯＵＴ　でスイチング電源回路のスイチングトランジスタを導通させることにより、スイチング電源回路のインダクタとの作用により、スイチング電源回路の出力電圧を徐々に上昇させ、かつ、電源起動時の電源回路に発生する突入電流を防止することができる。
【０００５】
図６の（Ｂ）　に図示される様に、タイミングｔｓ０　で第１スイッチ素子１３をオフし、ソフトスタート信号Ｖａが三角波信号Ｖｅの下限値ＶＬに到達するまでの時間ＴＬは、ソフトスタート起動をかけてから実際にソフトスタートが開始されるまでのムダ時間ＴＬとなり、このムダ時間ＴＬを経過後、ソフトスタート時間Ｔｓだけ掛かってスイチング電源回路のフル出力電圧を出力することができる。
【０００６】
また、ソフトスタートさせる出力チャネルが複数　（ｎ個とると）　必要とし、この複数の出力チャネルの起動タイミング（ｔｓ１〜ｔｓｎ）が異なるとき、ソフトスタート信号形成手段を共用化できないので、図示省略されているが、それぞれの出力チャネル　（ＯＵＴ１〜ＯＵＴｎ）　に対応するソフトスタート信号形成手段　（４Ａ〜４ｎ）　を設ける必要がある。この様な場合、ソフトスタートさせる容量４２が一般的には数ｎＦ〜数μＦ　の大きさであり、この容量４２を半導体集積回路（内蔵容量は数ｐＦ程度まで）に内蔵させるには不向きであり、半導体集積回路の外付け部品となる。従って、この出力チャネル数だけ、ソフトスタート用容量４２を接続するソフトスタート設定端子１４を設ける必要がある。なお、出力チャネル毎の起動タイミング（ｔｓ１〜ｔｓｎ）は、個別のソフトスタート信号形成手段　（４Ａ〜４ｎ）　に設けられるＮ−ＭＯＳＦＥＴ１３のスイッチ素子の短絡モードを解除して容量４２への充電を開始するタイミング（ｔｓ１〜ｔｓｎ）で制御することができる。
【０００７】
図７に従来技術および本発明で使用する一実施例による三角波発生回路６の回路図と図８に動作波形図とを図示する。図７において、三角波発生回路６は、例えば、電源電圧Ｖｄｄ　を抵抗６１，６２，６３で分圧して三角波信号Ｖｅの上限値ＶＨおよび下限値ＶＬを形成する分圧回路と、容量６６と，　この容量６６に電流Ｉ４で充電する電流源６４と，　交互にスイッチング制御されるスイッチ素子７１と，　このスイッチ素子７１がオン時に上記容量６６に充電された電荷を電流（Ｉ５−Ｉ４）　で放電する電流源６５と，　からなり三角波信号Ｖｅを形成する三角波回路と、このスイッチ素子７１のオン・オフを制御し，　上記容量６６の充電電位と上限値ＶＨとを比較して充電電位が上限値ＶＨより大でトリガパルスＶｆを出力するコンパレータ６７と，　容量６６の充電電位と下限値ＶＬとを比較して充電電位が上限値ＶＬより小でトリガパルスＶｇを出力するコンパレータ６８と，　これらのコンパレータ６７，６８　のトリガパルスＶｆ，Ｖｇ　で反転動作するＮＯＲ　素子６９，７０　からなるＲＳ−ＦＦ（セット・リセット型フリップフロップ）と、を備えて構成することができる。
【０００８】
かかる構成により、図８において、ＲＳ−ＦＦ　の出力ＶｈがＨｉｇｈレベルのとき、スイッチ素子７１をオン制御して容量６６の充電電位を放電し、この充電電位が下限値ＶＬを下回るとコンパレータ６８がトリガパルスＶｇを出力し、ＲＳ−ＦＦ　の出力ＶｈをＬｏｗ　レベルに切り換える。この状態からスイッチ素子７１がオフ制御されるので容量６６は充電されて充電電位を上昇させる。この充電電位が上限値ＶＨを越えるとコンパレータ６７がトリガパルスＶｆを出力し、ＲＳ−ＦＦ　の出力ＶｈをＨｉｇｈレベルに切り換える。以下、この繰り返しで三角波信号Ｖｅを形成することができる。
【０００９】
また、この様な三角波発生回路６は、図示省略しているが、電流源６４側にスイッチ素子７２を設け、ＲＳ−ＦＦ　の両出力でスイッチ素子７１，７２　を交互に導通制御することにより同様に三角波信号Ｖｅを形成することができる。
【００１０】
【発明が解決しようとする課題】
従来技術で述べた様に、大規模な電源回路になると、一般的には出力チャネル数が増加し、またこれらの電源回路の立ち上げていくタイミングおよび順番もこの電源回路が用いられる用途に応じて設定できることが好ましい。このため、従来技術では、個別に複数個のソフトスタート回路を設けることは、半導体集積回路のソフトスタート設定端子数とソフトスタート用容量の部品点数を増加させる問題がある。従って、電源用集積回路の小型化、低コスト化への障害となる。
【００１１】
また、従来技術で述べた様に、コンデンサの充電電圧（ソフトスタート信号）と三角波信号との比較によって導通角を制御するソフトスタート出力信号を形成する場合、このコンデンサの充電電圧が三角波信号の下限値に到達するまで、ソフトスタート出力信号を発生することができない。従って、ソフトスタートの起動を掛けてから動作遅延時間が発生し、この遅延時間は実際のソフトスタート出力信号を発生する時間に比べて同等程度もしくは長くなることがある。
【００１２】
本発明は上記の点にかんがみてなされたものであり、その目的は前記した課題を解決して、複数チャネルのソフトスタートを共通のソフトスタート設定端子と共通の容量で主ソフトスタート信号を形成し、この主ソフトスタート信号を基にして、個々の出力チャネル毎に予め設定されたタイミングで起動し、動作遅延時間が殆ど発生しない、個々のソフトスタート信号形成手段を備える半導体集積回路を提供することにある。
【００１３】
【課題を解決するための手段】
上記課題は本発明によれば、起動時の突入電流を防ぐソフトスタート手段を有し、複数の出力チャネルに対応して予め定められたタイミングで各出力チャネルを起動する電源用の半導体集積回路において、
起動指令で起動し、各出力チャネル共通のソフトスタート設定端子に接続される容量を充電して主ソフトスタート信号を形成する主ソフトスタート信号形成手段と、各出力チャネル毎に予め定められたタイミングで個別起動指令を出力する個別起動タイミング信号形成手段と、主ソフトスタート信号を受信し、個別起動タイミング信号形成手段からの個別起動指令が入力されるまでの間，　個別ソフトスタートを開始する直前の状態で待機し、個別起動指令が入力された後は，　個別ソフトスタート直前の待機状態から主ソフトスタート信号の信号変化率に予め定められた倍率の信号変化率で変化する個別ソフトスタート信号を形成する個別ソフトスタート信号形成手段と、三角波発生回路と、この三角波発生回路の三角波と，　個別ソフトスタート信号形成手段からの個別ソフトスタート信号と，　を比較し、各出力チャネルの出力導通角を制御するコンパレータと、からなるソフトスタート出力部と、を備えるものとする。
【００１４】
かかる構成により、主ソフトスタート信号形成手段で共通の起動指令で主ソフトスタート信号を形成し、個別起動タイミング信号形成手段で各出力チャネル毎に予め定められたタイミングで個別起動指令を出力し、この個別起動指令が入力されるまでの間は個別ソフトスタートを開始する直前の状態で待機し、個別起動指令が入力された後は，　個別ソフトスタート信号形成手段は個別ソフトスタート直前の待機状態から主ソフトスタート信号の信号変化率に予め定められた倍率の信号変化率で変化する個別ソフトスタート信号を形成する。
【００１５】
この結果、個別ソフトスタート信号形成手段は、個別起動指令が入力されるまでの間は三角波発生回路の下限値またはこの下限値を下回る状態で待機状態にあり、個別起動指令が入力された後は，　この待機状態から主ソフトスタート信号の信号変化率より早い信号変化率のソフトスタート信号を形成し、このソフトスタート信号と三角波発生回路の三角波信号とを比較することにより、各出力チャネル毎に予め定められたタイミングで各出力チャネル毎の出力導通角を制御することができる。即ち、主ソフトスタート信号形成手段は共通のソフトスタート設定端子とこれに接続される容量とで構成できるので、電源用集積回路の小型化、低コスト化を実現することができる。
【００１６】
また、主ソフトスタート信号形成手段は、電流源と、この電流源からの電流を共通のソフトスタート設定端子を経由して充電する第１容量と、この第１容量に充電される電荷を放電し共通の起動指令でスイッチオフして主ソフトスタート信号を形成する第１スイッチ素子と、を備えて構成することができる。
かかる構成により、第１スイッチ素子をオフするタイミングで主ソフトスタート信号形成手段の共通の起動指令を指令することができる。また、電流源の電流値と第１容量の容量値を適切に選択することにより、主ソフトスタート信号の時間変化率を小さくすることにより複数チャネルの個別起動タイミングの範囲を広く設定することができる。
【００１７】
また、個別ソフトスタート信号形成手段は、主ソフトスタート信号に接続される第２容量と、この第２容量の出力側を個別起動タイミング信号形成手段からの個別起動指令が入力されるまでの間，　グランドレベルに短絡する個別起動用第２スイッチ素子と、この第２スイッチ素子がオフのとき、この第２スイッチ素子の両端に発生する信号を予め定められた倍率で増幅する増幅器と、この増幅器出力に接続され他方に端を出力とする第３容量と、三角波発生回路の下限出力値あるいはこの下限出力値をやや下回る電圧信号（以下、待機状態信号と略称する）と、この待機状態信号と第３容量の出力側との間を前記個別起動タイミング信号形成手段の個別起動指令が入力されるまでの間短絡動作し、この個別起動指令が入力された後は，　スイッチオフする第３スイッチ素子と、を備えて構成することができる。
【００１８】
かかる構成により、個別起動用第２スイッチ素子がオンしている間は、主ソフトスタート信号の電圧は第２容量に充電され、予め定められた倍率の増幅器の入力信号はこの個別起動用第２スイッチ素子で短絡されて入力信号は発生しない。また、この期間中では、増幅器出力に接続される第３容量には三角波発生回路の下限出力値あるいはこの下限出力値をやや下回る電圧信号（待機状態信号）が充電されて個別起動用第２スイッチ素子がオフしたときこの待機状態信号を動作点として増幅出力を出力できる様な待機状態にすることができる。
【００１９】
次に、個別起動用第２スイッチ素子がオフすると、予め定められた倍率の増幅動作を行う上記増幅器の入力信号は、主ソフトスタート信号の電圧から，第２スイッチ素子がオンしていたときに第２容量に充電された最終の主ソフトスタート信号電圧を差し引いた主ソフトスタート信号電圧の変化分が上記予め定められた倍率の増幅器の入力信号となり、この増幅された信号分が、上記待機状態信号に重畳して個別ソフトスタート信号として出力することができる。従って、この個別ソフトスタート信号と三角波発生回路の三角波信号と比較して、当該出力チャネルの出力導通角を制御することができる。
【００２０】
また、個別ソフトスタート信号形成手段は、主ソフトスタート信号に接続される第２容量と、この第２容量の出力側を個別起動タイミング信号形成手段からの個別起動指令が入力されるまでの間，　待機状態信号に短絡する個別起動用第２スイッチ素子と、この第２スイッチ素子がオフのとき、この第２スイッチ素子の両端に発生する信号を増幅し，抵抗２７，２８　で負帰還増幅回路を構成し，　入力信号がゼロのとき出力が上記待機状態信号に動作点を有し予め定められた倍率で増幅する増幅器と、待機状態信号と、を備えて構成することができる。
【００２１】
かかる構成により、上記説明の個別ソフトスタート信号形成手段と同様に、回路構成は異なるが同様の個別ソフトスタート信号を形成することができる。即ち、個別起動用第２スイッチ素子がオンしている間は、主ソフトスタート信号の電圧と上記待機状態信号との差電圧を第２容量に充電する。一方、予め定められた倍率の増幅器の回路は、この待機状態信号との間で予め定められた倍率の負帰還増幅器回路を形成しているので、この増幅器への入力信号がゼロの状態では増幅器出力が待機状態信号レベルにある。従って、個別起動用第２スイッチ素子がオフすると、上記負帰還増幅器の入力信号は、主ソフトスタート信号の電圧から，第２スイッチ素子がオンしていたときに第２容量に充電された最終の充電電圧分を差し引いた主ソフトスタート信号電圧の変化分がこの負帰還増幅器の入力信号となり、この増幅された信号分が、上記待機状態信号レベルから個別ソフトスタート信号として出力することができる。従って、この個別ソフトスタート信号と三角波発生回路の三角波信号と比較して、当該出力チャネルの出力導通角を制御することができる。
【００２２】
また、個別ソフトスタート信号形成手段は、主ソフトスタート信号に接続され，個別起動タイミング信号形成手段からの個別起動指令が入力されるまでの間，主ソフトスタート信号を追従（トラッキング）し、個別起動指令が入力された後は，個別起動指令が入力された直前の主ソフトスタート信号を保持（ホールド）するサンプルアンドホールド回路と、このサンプルアンドホールド回路出力と，主ソフトスタート信号とを増幅し、このゼロ入力時の出力を待機状態信号にその動作点を有するレベルシフトアンプと、待機状態信号と、を備えて構成することができる。
【００２３】
かかる構成により、上記説明済みの個別ソフトスタート信号形成手段と同様に、回路構成は異なるがサンプリングアンドホールド回路とレベルシフトアンプを用いることにより、同様の個別ソフトスタート信号を形成することができる。即ち、個別起動用第２スイッチ素子がオンしている間は、サンプリングアンドホールド回路は主ソフトスタート信号を追従し、この第２スイッチ素子がオフに切り替わった時点以降、ホールドモードに切り替わり、追従していた主ソフトスタート信号を保持する。そしてレベルシフトアンプは、この保持した主ソフトスタート信号と第２スイッチ素子がオフに切り替わった以降の主ソフトスタート信号とを、増幅器基準出力が上記待機状態信号レベルを動作点とするレベルシフトアンプによって、上記待機状態信号レベルから個別ソフトスタート信号として出力することができる。従って、この個別ソフトスタート信号と三角波発生回路の三角波信号と比較して、当該出力チャネルの出力導通角を制御することができる。
【００２４】
また、主ソフトスタート信号形成手段の主ソフトスタート信号は、インピーダンスバッフ回路を備えて構成することができる。
かかる構成により、複数チャネルのソフトスタートが多いとき、個別起動タイミング用第２スイッチ素子がオンしている間、第２容量への充電書き込みで主ソフトスタート信号の時間変化率が多少影響を受けるが、この主ソフトスタート信号形成手段の主ソフトスタート信号出力にインピーダンスバッフ回路を備えることにより、個別ソフトスタート信号形成手段の影響を防止することができる。
【００２５】
また、三角波発生回路の待機状態信号は、インピーダンスバッフ回路を備えて構成することができる。
かかる構成により、複数チャネルのソフトスタートが多いとき、個別起動タイミング用第２スイッチ素子がオンしている間、第２容量への充電書き込みで主ソフトスタート信号の時間変化率が多少影響を受けるが、この主ソフトスタート信号形成手段の主ソフトスタート信号出力にインピーダンスバッフ回路を備えることにより、個別ソフトスタート信号形成手段の影響を防止することができる。
【００２６】
【発明の実施の形態】
図１は本発明による一実施例の複数チャネルのソフトスタート形成手段を備える半導体集積回路図、図２は他の実施例による半導体集積回路図、図３は図１の回路構成による動作説明図、図４は他の実施例による半導体集積回路図であり、図５〜図８に対応する同一部材には同じ符号が付してある。
【００２７】
図１、図２、図４において、本発明によれば、起動時の突入電流を防ぐソフトスタート手段を有し、複数の出力チャネルＯＵＴ１〜ＯＵＴｎに対応して予め定められたタイミング（ｔｓ１〜ｔｓｎ）で各出力チャネルＯＵＴ１〜ＯＵＴｎを起動する電源用の半導体集積回路において、
共通の起動指令ＴＳ０　で起動し、共通のソフトスタート設定端子１４に接続される容量１２を充電して主ソフトスタート信号Ｖａを形成する主ソフトスタート信号形成手段１と、共通の起動指令ＴＳ０（タイミングｔｓ０）で起動し、各出力チャネルＯＵＴ１〜ＯＵＴｎ毎に予め定められたタイミング（ｔｓ１〜ｔｓｎ）で個別起動指令（ＴＳ１〜ＴＳｎ）を出力する個別起動タイミング信号形成手段４と、主ソフトスタート信号Ｖａを受信し、上述の個別起動タイミング信号形成手段４からの個別起動指令（ＴＳ１〜ＴＳｎ）が入力されるまでの間，　個別ソフトスタートを開始する直前の状態で待機し、個別起動指令（ＴＳ１〜ＴＳｎ）が入力された後は，　個別ソフトスタート直前の待機状態から主ソフトスタート信号Ｖａの信号変化率に予め定められた倍率（Ｋ）　の信号変化率で変化する個別ソフトスタート信号３ａ〜３ｎを形成する個別ソフトスタート信号形成手段２（２Ａ＝（２Ａ１〜２Ａｎ），　（２Ｂ＝（２Ｂ１〜２Ｂｎ），　（２Ｃ＝（２Ｃ１〜２Ｃ）と、各出力チャネルＯＵＴ１〜ＯＵＴｎの出力導通角を制御する三角波発生回路６と、この三角波発生回路６の三角波Ｖｅと，　個別ソフトスタート信号形成手段２（２Ａ＝（２Ａ１〜２Ａｎ），　（２Ｂ＝（２Ｂ１〜２Ｂｎ），　（２Ｃ＝（２Ｃ１〜２Ｃｎ）からの個別ソフトスタート信号３ａ〜３ｎと，　を比較し、各出力チャネルＯＵＴ１〜ＯＵＴｎの出力導通角を制御するコンパレータ３２と、を備えて構成することができる。
【００２８】
かかる構成により、主ソフトスタート信号形成手段１で共通の起動指令ＴＳ０　で主ソフトスタート信号Ｖａを形成し、個別起動タイミング信号形成手段４で各出力チャネル　（ＯＵＴ１〜ＯＵＴｎ）　毎に予め定められたタイミング（ｔｓ１〜ｔｓｎ）で個別起動指令（ＴＳ１〜ＴＳｎ）を出力し、この個別起動指令（ＴＳ１〜ＴＳｎ）が入力されるまでの間は個別ソフトスタート信号３ａ〜３ｎを開始する直前の状態，　例えば、三角波発生回路６の下限出力値ＶＬあるいはこの下限出力値ＶＬをやや下回る電圧信号（以下、待機状態電圧信号（ＶＷ）と略称する）で待機し、個別起動指令ＴＳｘ（＝ＴＳ１〜ＴＳｎ）が入力された後は，　個別ソフトスタート信号形成手段２Ａｘ（２Ｂｘ，２Ｃｘ）は個別ソフトスタート直前の待機状態（ＶＷ）から主ソフトスタート信号Ｖａの信号変化率に予め定められた倍率（Ｋ）　の信号変化率で変化する個別ソフトスタート信号３ｘ（＝３ａ〜３ｎ）　を形成することができる。
【００２９】
この結果、個別ソフトスタート信号形成手段２（２Ａ，２Ｂ，２Ｃ）は、個別起動指令（ＴＳ１〜ＴＳｎ）が入力されるまでの間は三角波発生回路６の下限値ＶＬまたはこの下限値ＶＬを下回る状態で待機状態（ＶＷ）にあり、個別起動指令（ＴＳ１〜ＴＳｎ）が入力された後は，　この待機状態（ＶＷ）から主ソフトスタート信号Ｖａの信号変化率より早い信号変化率（Ｋ倍）　のソフトスタート信号３ａ〜３ｎを形成し、このソフトスタート信号３ａ〜３ｎと三角波発生回路６の三角波信号Ｖｅとを比較することにより、各出力チャネルＯＵＴ１〜ＯＵＴｎ毎に予め定められたタイミング（ｔｓ１〜ｔｓｎ）で各出力チャネルＯＵＴ１〜ＯＵＴｎ毎の出力導通角を制御することができる。即ち、主ソフトスタート信号形成手段１は共通のソフトスタート設定端子１４とこれに接続される容量１２とで構成できるので、電源用集積回路の小型化、低コスト化を実現することができる。
【００３０】
【実施例】
（実施例１）
図１により本発明の複数チャネルのソフトスタート手段を備える半導体集積回路を補足説明する。図１において、半導体集積回路に内蔵された電流源１１は、共通のソフトスタート設定端子１４を介して外付けされた容量１２を充電する主ソフトスタート信号Ｖａを形成する主ソフトスタート信号形成手段１と、この主ソフトスタート信号Ｖａを容量２１を介してゲイン　Ｋ倍の増幅器２３で増幅し電圧Ｖｄ（個別ソフトスタート信号３ａ〜３ｎ）　に変換する個別ソフトスタート信号形成手段２Ａ（２Ａ１〜２Ａｎ）と、この増幅器２３で　Ｋ倍に増幅された電圧Ｖｄと三角波発生回路６の三角波信号Ｖｅとを比較して、徐々に広がるスイッチングパルスを生成するソフトスタート出力部３と、から構成される。
【００３１】
主ソフトスタート信号形成手段１は従来技術で述べた図５のソフトスタート信号形成手段７と、また、ソフトスタート出力部３は従来技術で述べた図５のソフトスタート出力部３と同一の機能を有する。
即ち、主ソフトスタート信号形成手段１は、電流源１１と、この電流源１１からの電流Ｉ１１　を共通のソフトスタート設定端子１４を経由して充電される第１容量１２と、この第１容量１２に充電される電荷を放電し共通の起動指令ｔｓ０　でスイッチオフして主ソフトスタート信号Ｖａを形成する第１スイッチ素子１３と、を備えて構成することができる。
【００３２】
かかる構成により、第１スイッチ素子１３をオフするタイミング（ｔｓ０）　で主ソフトスタート信号形成手段１の共通の起動指令ＴＳ０　を指令することができる。また、電流源１１の電流値Ｉ１と第１容量１２の容量値Ｃ　を適切に選択することにより、主ソフトスタート信号Ｖａの時間変化率を従来技術で述べたソフトスタート信号形成手段７よりも小さくすることにより、複数チャネル（ＯＵＴ１）〜（ＯＵＴｎ）の個別起動タイミングの範囲をより広く設定することができる。
【００３３】
個別ソフトスタート信号形成手段２Ａ（２Ａ１〜２Ａｎ）の詳細構成は、主ソフトスタート信号Ｖａに接続される第２容量２１と、この第２容量２１の出力側を個別起動タイミング信号形成手段４からの個別起動指令（ＴＳ１〜ＴＳｎ）が入力されるまでの間，　グランドレベルＧＮＤ　に短絡する個別起動用第２スイッチ素子（Ｎ−ＭＯＳＦＥＴ）２２と、この第２スイッチ素子２２がオフのとき、この第２スイッチ素子２２の両端に発生する信号（Ｖａ−Ｖａ０）（但し，Ｖａ０は第２スイッチ素子２２がオフする直前まで第２容量２１に充電された電圧）　を予め定められた倍率　Ｋで増幅する増幅器２３と、この増幅器出力Ｖｃに接続され他方端を出力電圧Ｖｄとする第３容量２４と、三角波発生回路６の下限出力値ＶＬあるいはこの下限出力値ＶＬをやや下回る待機状態信号（ＶＷ）の回路３１と、この待機状態信号（ＶＷ）と第３容量２４の出力側との間を個別起動タイミング信号形成手段４の個別起動指令ＴＳ１，バーＴＳ１（図示例はタイミング　ｔｓ１およびこのｔｓ１　の反転信号　（バーｔｓ１）で表示）が入力されるまでの間短絡動作し、この個別起動指令（ＴＳ１，バーＴＳ１）が入力された後は，　スイッチオフするアナログスイッチ（例えば、（Ｎ−ＭＯＳＦＥＴ）２５と（Ｐ−ＭＯＳＦＥＴ）２５とのドレイン・ソースを並列に接続し、それぞれのゲートに個別起動指令　（ＴＳ１，バーＴＳ１）を入力して構成する）として双方向にオン・オフ動作できる第３スイッチ素子２５と、を備えて構成される。
【００３４】
かかる構成により、個別起動用第２スイッチ素子２２がオンしている間は、主ソフトスタート信号Ｖａの電圧は第２容量２１に充電され、予め定められた倍率（Ｋ）　の増幅器２３の入力回路はこの個別起動用第２スイッチ素子２２で短絡され、入力信号は発生しない。また、この期間中では、増幅器２３の出力Ｖｃに接続される第３容量２４には三角波発生回路６の待機状態信号ＶＷが充電されているので、個別起動用第２スイッチ素子２２および第３スイッチ素子２５がオフしたとき、この待機状態信号ＶＷを動作点として増幅出力Ｖｄを出力できる様な待機状態にすることができる。
【００３５】
次に、個別起動タイミング信号（ｔｓ１〜ｔｓｎ）がＨｉｇｈレベルからＬｏｗ　レベルに切り替わり、第２スイッチ素子２２および第３スイッチ素子２５がオフすると、予め定められた倍率（Ｋ）　の増幅動作を行う上記増幅器２３の入力信号Ｖｂは、主ソフトスタート信号Ｖａの電圧から，第２スイッチ素子２２がオンしていたときに第２容量２１に充電された最終の主ソフトスタート信号電圧Ｖａ０　を差し引いた主ソフトスタート信号電圧Ｖａの変化分（Ｖｂ＝ΔＶａ＝（Ｖａ−Ｖａ０））が上記予め定められた倍率（Ｋ）　の増幅器２３の入力信号Ｖｂとなり、この増幅された信号分（Ｖａ−Ｖａ０）Ｋ　が、上記待機状態信号ＶＷに重畳して個別ソフトスタート信号Ｖｄ（＝３ａ〜３ｎ）　として出力することができる。従って、この個別ソフトスタート信号Ｖｄ（＝３ａ〜３ｎ）　と三角波発生回路６の三角波信号Ｖｅと比較して、当該出力チャネルＯＵＴｘの出力導通角を制御することができる。
【００３６】
次に、個別ソフトスタート信号形成手段２Ａ（２Ａ１〜２Ａｎ）の動作を図１を併用して図３で説明する。図３において、横軸に時間軸を、縦軸に上から順に主ソフトスタート信号Ｖａから個別ソフトスタート信号Ｖｄまでの信号波形を図３の（Ａ）　に、図３の（Ｂ）　に個別ソフトスタート信号Ｖｄと三角波信号Ｖｅとの関係を図示し、図３の（Ｃ），（Ｄ）　に個別起動指令（ＴＳ１，ＴＳ２）　がＨｉｇｈレベルからＬｏｗ　レベルに切り替わり、個別ソフトスタート信号Ｖｄ１，Ｖｄ２　がスタートして、徐々にスイッチングパルスＯＵＴ１，ＯＵＴ２　が広がり、ソフトスタート時間Ｔｓ１，Ｔｓ２　を経過して電源装置が起動時の突入電流を防止しながら、最終的に電源装置としての所定の出力電圧をフル出力させることができる。
【００３７】
図３の（Ａ）　において、半導体集積回路の内部動作が確立して、第１スイッチ素子１３のゲート信号が時刻ｔｓ０　でＨｉｇｈレベルからＬｏｗ　レベルに切り替わると、Ｎ−ＭＯＳＦＥＴ１３がオフし、第１容量１２に電流源１１から充電が開始し、主ソフトスタート信号Ｖａ（＝（Ｉ１／Ｃ）ｔ）（　但し、Ｉ１は電流源１１の電流値，Ｃは第１容量１２の容量値）（細線で図示）がスタートする。このソフトスタート信号Ｖａを第２容量２１を介した電圧Ｖｂは、個別起動信号ＴＳ１，ＴＳ２　がＨｉｇｈレベルでは第２スイッチ素子２２が導通状態にあり、グランドレベルＧＮＤ　に接地されている。この期間中は、同時に第３スイッチ素子２５も導通状態にあるので、個別ソフトスタート信号Ｖｄ１，Ｖｄ２　は太線で図示される三角波発生回路６の下限出力値ＶＬあるいはこの下限出力値ＶＬをやや下回る待機状態信号電圧ＶＷにある。従って、増幅器２３の入出力の状態は第２容量２１および第３容量２４にそれぞれバイアス電圧Ｖａ０　および待機状態信号電圧（ＶＷ−Ｖｏｆｆ）（Ｖｏｆｆは増幅器２３のオフセット出力を示す）　が充電されて待機状態を保持する。
【００３８】
この状態から、タイミング時刻ｔｓ１（ｔｓ２）で個別起動信号ＴＳ１（ＴＳ２）がＨｉｇｈレベルからＬｏｗ　レベルに切り替わると、電位Ｖｂ１（Ｖｂ２）は、細線Ｖｂ１（Ｖｂ２）で図示される様にそれぞれグランドレベルＧＮＤ　より主ソフトスタート信号Ｖａと同じ傾斜で上昇してくる。この電位Ｖｂ１（Ｖｂ２）は（高入力インピーダンス）増幅器２３で増幅され、ゲイン　Ｋ倍された出力Ｖｃが増幅出力電圧（Ｖｃ１：　太線），（Ｖｃ２：　細線）　として出力される。この増幅器２３で増幅された出力電圧Ｖｃから第３容量２４を介した個別ソフトスタート信号Ｖｄ（Ｖｄ１，Ｖｄ２）　は、上述した様に、個別起動信号がオフされている状態、即ち、Ｈｉｇｈレベルでは第３スイッチ素子２５が導通状態にあるので、待機状態信号電圧ＶＷに固定されているが、個別起動信号ＴＳ１（ＴＳ２）がＨｉｇｈレベルからＬｏｗ　レベルに切り替わり、第３スイッチ素子２５が非導通状態になると、個別ソフトスタート信号Ｖｄ（Ｖｄ１，Ｖｄ２）　は、増幅器２３で増幅されゲイン　Ｋ倍された出力Ｖｃと同じ傾斜電圧（Ｖｄ１：　太線），（Ｖｄ２：　細線）　で上昇する。
【００３９】
ソフトスタート出力部３では、三角波信号Ｖｅと個別ソフトスタート信号Ｖｄ（Ｖｄ１，Ｖｄ２）　とを比較器３２で比較して、徐々に広がるパルスを生成し、このパルス信号で図示省略したスイッチング電源装置の出力トランジスタの導通角を徐々に広げることにより、このスイッチング電源装置の出力電流を徐々に増やして、電源投入時の突入電流の発生を防止することができる。
【００４０】
また、本発明によれば、個別ソフトスタート信号Ｖｄ（Ｖｄ１，Ｖｄ２）　は、三角波発生回路６の下限出力値ＶＬあるいはこの下限出力値ＶＬをやや下回る待機状態信号ＶＷにあるので、個別起動指令（ＴＳ１，ＴＳ２）　がオン（Ｈｉｇｈ　レベルからＬｏｗ　レベルに切り替わる）　されると、直ちに上記パルス信号が発生し、個別ソフトスタート信号Ｖｄの遅延時間ＴＬの発生を防止し、遅延時間ＴＬが殆どない状態にすることができる。
【００４１】
以上、個別ソフトスタート信号形成手段２Ａ１　について説明したが、複数の出力チャネルＯＵＴ１〜ＯＵＴｎが必要な場合、個別ソフトスタート信号形成手段（２Ａ１〜２Ａｎ）の出力チャネルｎ　だけ必要であるが、主ソフトスタート信号形成手段１は１つのみ必要であり、従って、第１容量１２を接続するソフトスタート設定端子および外付け部品は１つのみが必要となるのである。
【００４２】
また、本発明により、出力チャネル（ＯＵＴ−１〜ＯＵＴ−ｎ）毎の個別起動指令（ＴＳ１〜ＴＳｎ）により、それぞれ出力チャネルＯＵＴ１〜ＯＵＴｎ毎に独立してソフトスタートを起動することができる。
また、本発明による回路で従来技術と同じソフトスタート時間を得るには、増幅器２３のゲインが　Ｋ倍のとき、第１容量１２の容量値Ｃ　は図５に図示する容量４２の容量値の　Ｋ倍を必要とする。また、本発明による回路では、主ソフトスタートを起動してから全出力チャネルＯＵＴ１〜ＯＵＴｎの個別ソフトスタートが終了するまでの時間範囲を第１容量１２の充電が終了するまでの時間がカバーする必要がある。
（実施例２）
上記実施例１で述べた個別ソフトスタート信号形成手段２Ａは、以下に述べる実施例２、実施例３の方法がある。
【００４３】
実施例１の方法では、主ソフトスタート信号Ｖａを起動後、個別ソフトスタート信号を起動するまでの間は、第２容量２１に主ソフトスタート信号Ｖａを充電し、第３容量２４に待機状態信号ＶＷを充電リセットして待機状態を維持し、個別起動信号が入力されると、直ちに個別ソフトスタートが起動できる様に構成されている。しかしこの方法では、第２容量２１および第３容量２４に充電された電荷が当該個別ソフトスタートが終了するまでの時間Ｔｓ１，Ｔｓ２　・・の間にあまり変化を生じない様に、増幅器２３および比較器３２の入力インピーダンスを十分に高くする必要がる。
【００４４】
実施例２の方法では、負帰還増幅器２６の入力インピーダンスを十分に高くする必要性は同じであるが、負帰還増幅器２６を構成する増幅出力の動作点を（抵抗２８の負帰還点を）待機状態信号ＶＷに選定することにより、第３容量２４を用いる必要がなく、比較器３２の入力インピーダンスの制約条件を削除することができる。
即ち、図２において、他の個別ソフトスタート信号形成手段２Ｂ（２Ｂ１〜２Ｂｎ）は、主ソフトスタート信号Ｖａに接続される第２容量２１と、この第２容量２１の出力側を個別起動タイミング信号形成手段４からの個別起動指令（ＴＳ１〜ＴＳｎ）が入力されるまでの間，　待機状態信号ＶＷに短絡する個別起動用第２スイッチ素子２２と、この第２スイッチ素子２２がオフのとき、この第２スイッチ素子２２の両端に発生する信号を増幅し，抵抗２７，２８　で負帰還増幅回路を構成し，　入力信号がゼロのとき出力が上記待機状態信号ＶＷに動作点を有し，　予め定められた倍率Ｋ（＝Ｒ２７／Ｒ２８）　で増幅する増幅器２６と、待機状態信号ＶＷを出力する回路３１と、を備えて構成することができる。
【００４５】
かかる構成により、個別ソフトスタート信号形成手段２Ａ（２Ａ１〜２Ａｎ）と同様に，　第２容量２１に充電・リセットされる基準電位が実施例１ではグランドレベルＧＮＤ　にあったのが，　待機状態電圧信号ＶＷにリセットされる点で回路構成が異なり、図３の（Ａ）　に図示される増幅器２６の入力信号Ｖｂの動作レベルが図示省略してあるが実施例１ではグランドレベルＧＮＤ　が実施例２では　　待機状態電圧信号ＶＷを基準電位として動作点が変わる点にある。この結果、実施例１の第３容量２４と第３スイッチ素子２５を不要にして、同様な個別ソフトスタート信号Ｖｄ（Ｖｄ１〜Ｖｄｎ）を形成することができる。
【００４６】
即ち、個別起動用第２スイッチ素子２２がオンしている間は、主ソフトスタート信号の電圧Ｖａと上記待機状態電圧信号ＶＷとの差電圧（Ｖａ−ＶＷ）　を第２容量２１に充電する。一方、予め定められた倍率Ｋ　の増幅器の回路２６は、この待機状態電圧信号ＶＷとの間で予め定められた倍率Ｋ　の負帰還増幅器回路２６を形成しているので、この増幅器２６の入力信号がゼロの状態（個別ソフトスタート信号ガ起動されたとき）では増幅器２６の出力Ｖｄが待機状態電圧信号ＶＷレベルにある。従って、個別起動用第２スイッチ素子２２がオフすると、上記負帰還増幅器２６の入力信号（Ｖｂ’）　は、主ソフトスタート信号の電圧Ｖａから，第２スイッチ素子２２がオンしていたときに第２容量２１に充電された最終の充電電圧分（Ｖａ０−ＶＷ）を差し引いた主ソフトスタート信号電圧Ｖａの変化分（Ｖａ（ｔ）−Ｖａ０）　がこの負帰還増幅器２６の入力信号（Ｖｂ’）　となり、この増幅された信号分Ｋ（Ｖａ（ｔ）−Ｖａ０）が、上記待機状態電圧信号ＶＷレベルから個別ソフトスタート信号Ｖｄ（Ｖｄ１〜Ｖｄｎ）として出力することができる。従って、この個別ソフトスタート信号Ｖｄｘ（Ｖｄ１　〜Ｖｄｎ）と三角波発生回路６の三角波信号Ｖｅと比較して、当該出力チャネルＯＵＴｘの出力導通角を制御することができる。
（実施例３）
また、実施例３の方法では、個別起動用第２スイッチ素子２２と第２容量２１との接続を変更しインピーダンス変換器５１を用いて、サンプルアンドホールド回路を構成し、増幅器２３の相当する箇所をレベルシフトアンプを構成することにより、増幅器２３の入力インピーダンスを高くする必要性も削除することができる。
【００４７】
即ち、図４において、他の個別ソフトスタート信号形成手段２Ｃ（２Ｃ１〜２Ｃｎ）は、主ソフトスタート信号Ｖａに接続され，個別起動タイミング信号形成手段４からの個別起動指令（ＴＳ１〜ＴＳｎ）が入力されるまでの間，主ソフトスタート信号Ｖａを追従（トラッキング）し、個別起動指令（ＴＳ１〜ＴＳｎ）が入力された後は，個別起動指令（ＴＳ１〜ＴＳｎ）が入力された直前の主ソフトスタート信号Ｖａ０　を保持（ホールド）するサンプルアンドホールド回路（２１，２２，５１）と、このサンプルアンドホールド回路（２１，２２，５１）の出力Ｖｔｈ　と主ソフトスタート信号Ｖａとの差電圧（Ｖｂ”）　を増幅し、このゼロ入力時（Ｖｂ”＝（Ｖａ−Ｖｔｈ））の出力を待機状態信号ＶＷにその動作点を有するレベルシフトアンプ（５２，５３〜５６）　と、待機状態信号ＶＷと、を備えて構成することができる。
【００４８】
かかる構成により、実施例１で説明済みの個別ソフトスタート信号形成手段２Ａ（２Ａ１〜２Ａｎ）と同様に回路構成は異なるが、サンプリングアンドホールド回路（２１，２２，５１）とレベルシフトアンプ（５２，５３〜５６）　を用いることにより、同様の個別ソフトスタート信号Ｖｄ（Ｖｄ１〜Ｖｄｎ）を形成することができる。即ち、個別起動用第２スイッチ素子２２がオンしている間は、サンプリングアンドホールド回路（２１，２２，５１）は主ソフトスタート信号Ｖａを追従し、この第２スイッチ素子２２がオフに切り替わった時点以降、ホールドモードに切り替わり、追従していた主ソフトスタート信号（Ｖａ０）　を保持する。そしてレベルシフトアンプ（５２，５３〜５６）　は、この保持した主ソフトスタート信号Ｖａ０　と第２スイッチ素子がオフに切り替わった以降の主ソフトスタート信号Ｖａ（ｔ）　とを、増幅器基準出力が上記待機状態電圧信号ＶＷレベルを動作点とするレベルシフトアンプ（５２，５３〜５６）　によって、上記待機状態信号ＶＷレベルから個別ソフトスタート信号Ｖｄ（Ｖｄ１〜Ｖｄｎ）として出力することができる。従って、この個別ソフトスタート信号　Ｖｄｘ（Ｖｄ１〜Ｖｄｎ）と三角波発生回路６の三角波信号Ｖｅと比較して、当該出力チャネルＯＵＴｘの出力導通角を制御することができる。
【００４９】
その他として、また、主ソフトスタート信号形成手段１の主ソフトスタート信号Ｖａは、インピーダンスバッファ回路１５を備えて構成することができる。
かかる構成により、複数チャネルＯＵＴ１〜ＯＵＴｎのソフトスタートする点数ｎ　が多いとき、個別起動タイミング用第２スイッチ素子２２がオンしている間、第２容量２１への充電書き込みで主ソフトスタート信号Ｖａの時間変化率が多少影響を受けることがあるが、この主ソフトスタート信号形成手段１の主ソフトスタート信号Ｖａの出力回路に点線で図示するインピーダンスバッファ回路１５を備えることにより、個別ソフトスタート信号形成手段２の影響を防止することができる。また、このインピーダンスバッファ回路１５を備えることにより、第１容量１２の容量値および電流源１１の電流値Ｉ１１　を低減することもできる。
【００５０】
また、三角波発生回路６の下限出力値ＶＬあるいはこの下限出力値ＶＬをやや下回る電圧信号ＶＷは、必要に応じてインピーダンスバッファ回路２９を備えて構成することができる。
【００５１】
【発明の効果】
以上述べたように本発明による起動時の突入電流を防ぐソフトスタート手段を有する電源用の半導体集積回路は、複数の出力チャネル毎の起動タイミング設定が可能であり、かつ、ソフトスタート設定端子を１端子にまとめることができる。この結果、出力チャネル数が増加すればするほど、小型化・低コスト化の効果を生ずることができる。
【００５２】
また、ソフトスタートの起動をかけてから、ソフトスタート出力信号が発生するまでの遅延時間を大幅に削減することができ、この結果、ソフトスタートのタイミング設定が容易になり、起動時間の短縮化を実現することができる。
【図面の簡単な説明】
【図１】本発明による一実施例の複数チャネルのソフトスタート形成手段を備える半導体集積回路図
【図２】他の実施例による半導体集積回路図
【図３】図１の回路構成による動作説明図
【図４】他の実施例による半導体集積回路図
【図５】従来技術によるソフトスタート形成手段を備える半導体集積回路図
【図６】従来技術による動作説明図
【図７】本発明および従来技術の一実施例による三角波発生回路図
【図８】三角波発生回路動作説明図
【符号の説明】
１　　主ソフトスタート信号形成手段
１１，６４，６５　　　電流源
１２　　第１容量
１３　　第１スイッチ素子
１４　　ソフトスタート設定端子
１５，２９　　　　　インピーダンスバッファ回路
２、２Ａ，２Ｂ，２Ｃ，２Ａ１，２Ａ２，２Ａｎ　　　　個別ソフトスタート信号形成手段
２Ｂ１，２Ｂ２，２Ｂｎ，２Ｃ１，２Ｃ２，２Ｃｎ　　　個別ソフトスタート信号形成手段
２１　　　　第２容量
２２　　個別起動用第２スイッチ素子
２３，２６，５２　　増幅器
２４　　第３容量
２５　　第３スイッチ素子
２７，２８，５３〜５６，６１，６２，６３　　　　　抵抗
３３ａ，３ｂ，・３ｎ　　　ソフトスタート出力部
３１　　待機状態信号回路
３２，６７，６８　　　　コンパレータ
４　　個別起動タイミング信号形成手段
５１　　高入力インピーダンス増幅器
６　　三角波発生回路
６６　　容量
６９，７０　　　ＮＯＲ　素子
７　　ソフトスタート信号形成手段
７１　　スイッチ素子
ＯＵＴ１，ＯＵＴ２，・ＯＵＴｎ　　　各出力チャネルの出力
ＴＳ０，　ＴＳ１〜ＴＳｎ　　　　個別起動指令
Ｔｓ１，Ｔｓ２　・Ｔｓｎ　　　ソフトスタート時間
ｔｓ０，ｔｓ１，ｔｓ２，・ｔｓｎ　　　個別起動タイミング
Ｖａ　　主ソフトスタート信号
Ｖｂ，Ｖｂ’，Ｖｂ”　　増幅器入力信号
Ｖｃ　　増幅器出力
Ｖｄ，Ｖｄ１，Ｖｄ２，Ｖｄｎ　　個別ソフトスタート信号
Ｖｅ　　三角波信号
Ｖｆ，Ｖｇ　　　トリガパルス
【図１】
2004048962.tif 000003
【図２】
2004048962.tif 000004
【図３】
2004048962.tif 000005
【図４】
2004048962.tif 000006
【図５】
2004048962.tif 000007
【図６】
2004048962.tif 000008
【図７】
2004048962.tif 000009
【図８】
2004048962.tif 000010